(57)【要約】【課題】ディスプレイの大きさを拡大しながら、携帯性を維持した電子装置を提供する。【解決手段】本発明による携帯用電子装置は、第１面と対向する第２面を含む第１ハウジング、第３面と対向する第４面を含む第２ハウジング、第１ハウジングと第２ハウジングとを連結して、但し、第４面が第１面と対面する方向に回転するように設けられたヒンジ部を含み、ヒンジ部は、第１ハウジングの一側の縁部に配置されたヒンジ軸、第２ハウジングのヒンジ動作に対応して少なくとも一部が第２ハウジング内側にスライディングされ進入するか、又は、第２ハウジング内側からスライディングされ移出されるスライディング部、第１面と第４面との間に配置され、第２ハウジングのヒンジ動作に対応して広がるか折れ曲がるように複数のユニットを含むマルチバーを含む。【選択図】図１
2019529991.tif 000002
【特許請求の範囲】
【請求項１】
携帯用電子装置であって、
第１面及び前記第１面の反対側の第２面を含む第１ハウジングと、
第３面及び前記第３面の反対側の第４面を含む第２ハウジングと、
第５面及び第６面を含んで前記第１ハウジングと第２ハウジングとを連結するヒンジ部と、
前記第１面、前記第５面、及び前記第３面の上に配置されたフレキシブルディスプレイと、
前記フレキシブルディスプレイに電気的に連結されて前記第１ハウジング又は前記第２ハウジングのうちの少なくとも一つに配置された少なくとも一つのプロセッサと、を備え、
前記ヒンジ部は、
第１方向に延長されたヒンジ軸の周りで撓み、
前記ヒンジ軸は、前記第１面上からみると、前記第１ハウジングと前記第２ハウジングとの間の境界に沿って延長され、
前記ヒンジ部が曲げられる前の状態で前記第１面及び前記第３面は同一方向に配置され、
前記ヒンジ部が特定の角度に曲げられると、前記第２面と前記第４面とは互いに対向し、
前記ヒンジ部は、前記第１方向に延長されて前記第５面上に共に配置された複数の柱部を含むことを特徴とする携帯用電子装置。
【請求項２】
前記複数の柱部のうちの少なくとも一つは、
前記第５面の一部に配置された上面と、
前記上面とは反対側の前記第６面の方向に位置する底面と、
前記上面と前記底面との間に位置した第１側面及び第２側面と、を含み、
前記第１側面及び前記第２側面の少なくとも一方の幅が、前記上面から底面の方向に向かって徐々に減少することを特徴とする請求項１に記載の携帯用電子装置。
【請求項３】
前記ヒンジ部は、前記第６面に形成された第１構造物をさらに含み、
前記第１構造物は、前記第１方向に対して垂直な可変幅を含み、
前記ヒンジ部が曲げられていない状態で、前記可変幅は、前記ヒンジ部が特定の角度に曲げられた状態よりも長いことを特徴とする請求項１に記載の携帯用電子装置。
【請求項４】
前記第１構造物は、
前記可変幅の提供によって前記第２ハウジングから特定の方向に、又は前記第２ハウジングの方向に移動可能に設けられた第１手段を含むことを特徴とする請求項３に記載の携帯用電子装置。
【請求項５】
前記第１手段は、
前記第２ハウジング内に形成された開口部にスライディングされることを特徴とする請求項４に記載の携帯用電子装置。
【請求項６】
携帯用電子装置であって、
第１面及び前記第１面の反対側の第２面を含む第１ハウジングと、
第３面及び前記第３面の反対側の第４面を含む第２ハウジングと、
前記第１ハウジングと前記第２ハウジングとを連結して、前記第２ハウジングの前記第４面が前記第１ハウジングの前記第１面と対向する方向に回転するように設けられたヒンジ部と、を備え、
前記ヒンジ部は、
前記第１ハウジングの一側の縁部に配置されたヒンジ軸と、
前記第２ハウジングのヒンジ動作に対応して、少なくとも一部が前記第２ハウジングの内側又は外側にスライディングして進入するか、又は前記第２ハウジングの内側又は外側から特定方向にスライディングして引き出されるスライディング部と、
前記第１面と前記第４面との間に配置され、前記第２ハウジングのヒンジ動作に対応して開かれるか又は曲げられる複数のマルチバーユニットと、を含むことを特徴とする携帯用電子装置。
【請求項７】
前記第１ハウジングの厚さ及び前記第２ハウジングの厚さは同一又は類似に形成されるか、
前記第１ハウジングの幅及び前記第２ハウジングの幅は同一又は類似に形成されるか、
前記第１ハウジングの幅又は第２ハウジングの幅は前記第２ハウジングの幅又は第１ハウジングの幅よりも特定の大きさだけ大きいことを特徴とする請求項６に記載の携帯用電子装置。
【請求項８】
前記第１ハウジングと前記第２ハウジングとが特定の角度に折り畳まれた状態で外部に露出される前記第２ハウジングの第４面の一部に配置される補助ディスプレイをさらに含むことを特徴とする請求項７に記載の携帯用電子装置。
【請求項９】
前記マルチバーは、
前記ヒンジ軸方向に配置される複数の柱部を含み、
前記柱部のそれぞれは、
平坦に形成された底部と、
前記底部の上端及び下端に配置されて前記底部よりも高く段差付けられた段差部と、を含むことを特徴とする請求項６に記載の携帯用電子装置。
【請求項１０】
前記複数の柱部の底部は、
前記第１ハウジングの第１面と第２ハウジングの第３面とが同一方向に配置される間、隣接する底部と密接に面接触されて平坦な面を形成するように配置されるか、
前記第１ハウジングの第２面と第２ハウジングの第４面とが対向する間、隣接する底部と密接に面接触されて湾曲部を形成するように配置されることを特徴とする請求項９に記載の携帯用電子装置。
【請求項１１】
前記複数の柱部の段差部は、
前記第１ハウジングの第１面と第２ハウジングの第３面とが同一方向に配置される間、隣接する段差部と密接に面接触されて平坦な面を形成するように配置されるか、
前記第１ハウジングの第２面と第２ハウジングの第４面とが対向する間、隣接する段差部と特定の隙間を形成しつつ湾曲部を形成するように配置されることを特徴とする請求項９に記載の携帯用電子装置。
【請求項１２】
前記複数の柱部のうちの一部の柱部は、
前記第１ハウジングの第２面と第２ハウジングの第４面とがなす鋭角の範囲内で特定の角度を形成する間、隣接する他の柱部と連接して湾曲部を形成し、
残りの柱部は隣接する他の柱部と連接して平坦な面を形成することを特徴とする請求項９に記載の携帯用電子装置。
【請求項１３】
前記湾曲部を形成する柱部の段差部は、連接された柱部の段差部と特定の隙間を形成して配置され、
前記平坦な面を形成する柱部の段差部は、連接された柱部の段差部と密接に面接触するように配置されることを特徴とする請求項１２に記載の携帯用電子装置。
【請求項１４】
前記柱部は、
前記段差部の縁部から下部の方向に延長され、上部から下部の方向に行くほど幅が徐々に減る突起をさらに含み、
前記複数の柱部に配置される突起のうちの少なくとも一部は、
前記第１ハウジングと前記第２ハウジングとがなす鋭角の範囲内で曲げられた間、隣接する他の突起の側壁と面接触するように配置されることを特徴とする請求項９に記載の携帯用電子装置。
【請求項１５】
前記ヒンジ部は、
前記第１ハウジングに固定されるプレートと、
前記第２ハウジングに固定される支持カバーと、
前記プレートと前記支持カバーとにそれぞれ固定される一対の磁石部材と、を含み、
前記磁石部材は、
前記第１ハウジングの第１面と第２ハウジングの第３面とが同一方向に配置される間、磁石結合されることを特徴とする請求項６に記載の携帯用電子装置。
【発明の詳細な説明】
【技術分野】
【０００１】
本発明は、フレキシブルディスプレイ装置に関する。
【背景技術】
【０００２】
電子装置は、画面の出力に関してディスプレイを含んでいる。このような電子装置は、ディスプレイを囲むハウジングを含む。
【０００３】
従来、電子装置は、ディスプレイの大きさに対応してハウジングが設けられていたため、ディスプレイが大きくなるほどハウジングの大きさが大きくなるおそれがあった。ディスプレイが大きくなるほど、画面を大きく見られるという利点があるが、携帯性が低下するため、ディスプレイの拡大には限界があった。
【発明の概要】
【発明が解決しようとする課題】
【０００４】
本発明は、上記従来の問題点に鑑みてなされたものであって、本発明の目的は、携帯性を保ちながらディスプレイの大きさを拡大させた電子装置を提供することにある。
【課題を解決するための手段】
【０００５】
上記目的を達成するためになされた本発明の一態様による携帯用電子装置は、第１面及び前記第１面の反対側の第２面を含む第１ハウジングと、第３面及び前記第３面の反対側の第４面を含む第２ハウジングと、第５面及び第６面を含んで前記第１ハウジングと第２ハウジングとを連結するヒンジ部と、前記第１面、前記第５面、及び前記第３面の上に配置されたフレキシブルディスプレイと、前記フレキシブルディスプレイに電気的に連結されて前記第１ハウジング又は前記第２ハウジングのうちの少なくとも一つに配置された少なくとも一つのプロセッサと、を備え、前記ヒンジ部は、第１方向に延長されたヒンジ軸の周りで撓み、前記ヒンジ軸は第１面上からみると、前記第１ハウジングと前記第２ハウジングとの間の境界に沿って延長され、前記ヒンジ部が曲げられる前の状態で前記第１面及び前記第３面は同一方向に配置され、前記ヒンジ部が特定の角度に曲げられると、前記第２面と前記第４面とは互いに対向し、前記ヒンジ部は、前記第１方向に延長されて前記第５面上に共に配置された複数の柱部を含むことを特徴とする。
【０００６】
本発明の他の実施形態による携帯用電子装置は、第１面及び前記第１面の反対側の第２面を含む第１ハウジングと、第３面及び前記第３面の反対側の第４面を含む第２ハウジングと、前記第１ハウジングと前記第２ハウジングとを連結して、前記第２ハウジングの前記第４面が前記第１ハウジングの第１面と対向する方向に回転するように設けられたヒンジ部と、を備え、前記ヒンジ部は、前記第１ハウジングの一側の縁部に配置されたヒンジ軸と、前記第２ハウジングのヒンジ動作に対応して、少なくとも一部が前記第２ハウジングの内側にスライディングして進入するか、又は、前記第２ハウジング内側からスライディングして引き出されるスライディング部と、前記第１面と前記第４面との間に配置され、前記第２ハウジングのヒンジ動作に対応して開かれるか又は曲げられる複数のマルチバーユニットと、を含むことを特徴とする。
【発明の効果】
【０００７】
本発明によれば、携帯用電子装置のディスプレイの大きさを拡大させつつ携帯性を維持することができる。
また、携帯用電子装置のディスプレイ領域が折り畳まれた状態に応じて、多様な形態で利用できるようにし、ヒンジ動作によって折り畳まれた区間で発生するディスプレイの曲げ疲労を改善できる。
【図面の簡単な説明】
【０００８】
【図１】本発明の一実施形態による電子装置の多様な角度での外観の一例を示す図である。
【図２】本発明の一実施形態による電子装置の前面及び後面の外観の一例を示す図である。
【図３】本発明の一実施形態による電子装置の第１ハウジング及びディスプレイを概略的に示す図である。
【図４】本発明の一実施形態による第２ハウジングの一例を示す図である。
【図５】本発明の一実施形態によるヒンジ部の一例を示す図である。
【図６】本発明の一実施形態によるヒンジ部の一例を示す分解斜視図である。
【図７】本発明の一実施形態によるマルチバーの前面及び後面の一例を示す図である。
【図８】本発明の一実施形態によるマルチバーの一部領域ををより詳細に示す図である。
【図９】本発明の一実施形態によるマルチバーとヒンジブラケットとの結合状態を示す図である。
【図１０】本発明の一実施形態による電子装置の側面の一部の一例を示す図である。
【図１１】本発明の一実施形態による電子装置の結合された状態の一例を示す図である。
【図１２ａ】本発明の一実施形態による電子装置の結合手順の一例を示す図である。
【図１２ｂ】本発明の一実施形態による電子装置のヒンジ動作時の内部構造物の状態の一例を示す図である。
【図１３】本発明の一実施形態による電子装置の据え置き状態の多様な例を示す図である。
【図１４】本発明の一実施形態による電子装置の開かれた状態でのヒンジ部の状態の一例を示す図である。
【図１５】本発明の一実施形態による電子装置の曲げられた状態でのヒンジ部の状態の一例を示す図である。
【図１６】本発明の一実施形態による電子装置の折り畳まれた状態でのヒンジ部の状態の一例を示す図である。
【図１７】本発明の一実施形態による電子装置の折り畳まれた状態でのヒンジ部の内部の一例を示す図である。
【図１８】本発明の一実施形態による電子装置の多様な形態の一例を示す図である。
【発明を実施するための形態】
【０００９】
以下、本発明を実施するための形態の具体例を、図面を参照しながら詳細に説明する。本発明の理解を深めるための多様な特定の実施形態を含むが、これらは単に例示的なものである。したがって、当業者には、本明細書に記載された多様な実施形態の多様な変更及び修正が、本発明の技術範囲及び思想から逸脱しない範囲内でなされ得ることが理解される。また、明瞭性及び簡潔性を図るため、既知の機能及び構成に関する説明は省略する。
【００１０】
以下の詳細な説明で用いられる用語及び単語は、書誌的意味に限定されず、本明細書の明確かつ一貫した理解を可能にするため、単に発明者によって用いられる。したがって、本発明の多様な実施形態に関する以下の説明は、単に例示のためのものであり、本発明を限定するものではない。
【００１１】
単数形態の「ａ」、「ａｎ」、及び「ｔｈｅ」は、文脈上明確に指示をしない限り、複数の対象を含む。したがって、例えば、「構成要素表面（ａ  ｃｏｍｐｏｎｅｎｔ  ｓｕｒｆａｃｅ）」との記載は、一つ以上の表面を含む。
【００１２】
本明細書で用いられる「有する」、「有してもよい」、「含む」及び「なる」、又は「含んでもよい」及び「なってもよい」という表現は、対応する特徴（例えば、機能、動作、又は構成要素）を意味するが、追加的な特徴の存在を除外しない。
【００１３】
本明細書において、「Ａ又はＢ」、「Ａ及び／又はＢのうちの少なくとも一つ」、又は「Ａ及び／又はＢのうちの一つ以上」などの表現は、任意の一つ以上の関連したリスト項目の全ての組み合わせを含む。例えば、「Ａ又はＢ」、「Ａ及びＢのうちの少なくとも一つ」、又は「Ａ又はＢのうちの少なくとも一つ」との用語は、（１）少なくとも一つのＡが含まれた場合、（２）少なくとも一つのＢが含まれた場合、又は（３）少なくとも一つのＡと少なくとも一つのＢが含まれた場合の全てを含む。
【００１４】
本明細書で用いられる「第１」、「第２」などの用語は、多様な実施形態の多様な要素を指すが、要素を限定しない。また、これらの用語は、一つの要素を他の要素と区別するために用いる。例えば、「第１使用者デバイス」及び「第２使用者デバイス」は、その手順又は優先順位にかかわらず異なる使用者デバイスを示す。例えば、「第１使用者装置」及び「第２使用者装置」は異なる使用者装置を示す。
【００１５】
エレメント（例えば、第１エレメント）が異なるエレメント（例えば、第２エレメント）と「（動作可能に又は通信可能に）結合されるか」又は「連結される」と記載されるとき、他の構成要素に直接結合されるか、結合されるか、又は介在される構成要素（例えば、第３構成要素）が存在する。対照的に、エレメント（例えば、第１エレメント）が他のエレメント（例えば、第２エレメント）と「直接結合」又は「直接連結」と記載されるとき、介在されるエレメント（例えば、第３要素）はない。
【００１６】
本明細書で用いられる「構成された」との表現は、例えば、「適合された」、「収容された」、「設計された」、「適応された」、「作られた」などの表現で用いられるか、又は「ｃａｐａｂｌｅ  ｏｆ」を意味する。「構成された」との用語は、ハードウェアで「特別に設計された」ことを意味しない。その代わりに、「構成された装置」との表現は、当該装置が他の装置又は他の構成要素と共に「動作」することを意味する。例えば、「Ａ、Ｂ、及びＣを遂行するように構成されたプロセッサ」は、対応動作を遂行するための専用プロセッサ（例えば、内蔵型プロセッサ）又は汎用プロセッサ（例えば、ＣＰＵ又はアプリケーションプロセッサ）によって実行され、これらはメモリーデバイスに保存された一つ以上のソフトウェアプログラムを実行することで対応する動作を行う。
【００１７】
本明細書に用いられる用語は、特定の実施形態を説明するために用いられ、本発明の技術範囲を限定するものではない。単数形態の用語は、特に明示しない限り複数の形態を含む。本明細書で特に定義しない限り、技術用語又は科学用語を含む全ての用語は、当業者により一般的に理解されるものと同一の意味を有する。また、事前に定義されて一般的に用いられる用語は、関連する技術分野で通常的なものとして解釈され、現在の多様な実施形態において、本明細書で明白に定義しない限り、理想的又は形式的過ぎる意味に解釈されない。場合によっては、用語が本明細書で定義された用語であっても、本発明の実施形態を排除するものとして解釈されない。図面全体にわたって、同一の参照番号は、同一であるか類似の要素、特徴、及び構造を示す。
【００１８】
本発明の多様な実施形態による電子機器は、スマートフォン、タブレットＰＣ（Ｐｅｒｓｏｎａｌ  Ｃｏｍｐｕｔｅｒ）、携帯電話、画像電話、電子書籍リーダー、デスクトップＰＣ、ノートパソコンＰＣ、ネットブックコンピューター、ワークステーション、ＰＤＡ、ＰＭＰ、ＭＰＥＧ−１オーディオ（ＭＰ３）プレーヤー、モバイル医療機器、カメラ、ウェアラブル機器（例：ヘッドマウントディスプレイのようなＨＭＤ）、電子衣類、電子ブレスレット、電子ネックレス、電子アクセサリー、電子タトゥー、スマートウォッチなどを含む。
【００１９】
他の実施形態において、電子装置は家電製品である。家電製品は、テレビ（ＴＶ）、ＤＶＤプレーヤー、オーディオ、冷蔵庫、エアコン、クリーナー、オーブン、電子レンジ、洗濯機、エアークリーナー、セットトップボックス、ホームオートメーション制御パネル、保安制御パネル、ＴＶボックス（例：Ｓａｍｓｕｎｇ  Ｈｏｍｅ  Ｓｙｎｃ（登録商標）、Ａｐｐｌｅ  ＴＶ（登録商標）、又はＧｏｏｇｌｅ  ＴＶ（登録商標））、ゲームコンソール（例：Ｘｂｏｘ（登録商標）又はＰｌａｙ  Ｓｔａｔｉｏｎ（登録商標））、電子辞書、電子キー、カムコーダ、デジタルフォトフレームのような機器を含む。
【００２０】
本発明の一実施形態による撮影装置は、医療機器（例えば、多様な携帯用の医療用測定器（例えば、血糖測定器、心拍測定器、血圧測定器、体温計（ＭＲＡ））、磁気共鳴映像（ＭＲＩ）、コンピューター断層撮影（ＣＴ）、スキャナ及び超音波装置）、ナビゲーション装置、ＧＰＳ受信機（ｇｌｏｂａｌ  ｐｏｓｉｔｉｏｎｉｎｇ  ｓｙｓｔｅｍ）イベントデータレコーダー（ＥＤＲ）、航空データレコーダー（ＦＤＲ）、車載インフォテーンメント装置、船舶用電子装備（例：ナビゲーションシステム及びジャイロコンパス）、航空電子装置、保安装置、車両ヘッドユニット、産業用又は家庭用ロボット、現金自動預払機（ＡＴＭ）、販売時点管理システム（ＰＯＳ）又はモノのインターネット（ＩｏＴ）（例：電球、多様なセンサー、電気又はガスメートル、スプリングクラー装置、火災警報器、自動温度調節器、街灯、トースター、運動器具の温水タンク、ヒーター、ボイラーなど）を含む。
【００２１】
また他の実施形態において、電子装置は、家具又は建物／構造物の部分、電子ボード、電子署名受信装置、プロジェクター、又は多様な測定装置（例：水道メーター、電気メーター、ガスメーター、又はウェブメーターなど）を含む。多様な実施形態において、電子装置は上述した多様な装置のうちの一つ又はこれらの組合であってもよい。一実施形態による電子装置は、可撓性装置である。また、一実施形態による電子機器は、上述した電子機器に限定されず、技術の発展によって他の電子機器及び新たな電子機器を含む。
【００２２】
以下、図面を参照しながら、本発明の多様な実施形態による電子機器を説明する。本明細書で用いられる「使用者」の用語は、電子装置を用いる人又は電子装置を用いる装置（例：人工知能電子装置）を意味する。
【００２３】
図１は、本発明の一実施形態による電子装置の多様な角度での外観の一例を示す図であり、図２は、本発明の一実施形態による電子装置の前面及び後面の外観の一例を示す図である。
【００２４】
図１及び図２を参照すると、電子装置１００は、概略的にディスプレイ１３０（例：フレキシブルディスプレイ）、ハウジング１１０、及びヒンジ部１２０（例：ヒンジ又はヒンジパート）を含む。
【００２５】
ディスプレイ１３０は、少なくとも一部が撓むこと（曲がること）が可能なフレキシブルディスプレイで構成される。これに関して、ディスプレイ１３０は、曲がることが可能な少なくとも一つのピクセル及び信号ラインを含む。ディスプレイ１３０は、第１表示領域１３１、第２表示領域１３２、及びヒンジ表示領域１３３を含む。第１表示領域１３１、ヒンジ表示領域１３３、及び第２表示領域１３２は、一つに連結される。例えば、第１表示領域１３１の一側はヒンジ表示領域１３３の一側に連結され、ヒンジ表示領域１３３の他側は第２表示領域１３２の一側に連結される。
【００２６】
ディスプレイ１３０は、置かれる方向により、第１表示領域１３１が前面に配置されるか又は第２表示領域１３２が前面に配置される。例えば、電子装置１００が第１状態（例：ディスプレイ１３０が外側から観察されるように折り畳まれた状態）において、第１表示領域１３１と第２表示領域１３２とは互いに反対の方向に配置される。第１状態で、ヒンジ表示領域１３３は、第１表示領域１３１と第２表示領域１３２との間に配置されて、側面方向から観察される。電子装置１００が第２状態（例：ハウジング１１０が開かれた状態）において、第１表示領域１３１、ヒンジ表示領域１３３、及び第２表示領域１３２は、水平方向に対して同一の方向に向く。電子装置１００が第３状態（例：ハウジング１１０が特定の角度に曲げられた状態）において、第１表示領域１３１と第２表示領域１３２とは、水平方向に対して互いに異なる角度の方向を向く。第１表示領域１３１の大きさ及び第２表示領域１３２の大きさは、同一又は互いに異なる大きさに設けられる。図１では、第１状態において、第１方向に配置された第１表示領域１３１の大きさが、第２方向（例：第１方向と反対方向）に配置された第２表示領域１３２の大きさよりも小さい形態を例示したが、本発明はこれに限定されない。例えば、第１表示領域１３１及び第２表示領域１３２は互いに同一の大きさを有するように設けられてもよい。
【００２７】
ハウジング１１０は、ディスプレイ１３０の少なくとも一部の領域が外側から観察されるようにディスプレイ１３０の縁部を覆って配置される。ハウジング１１０の内部には、ディスプレイ１３０の駆動に関する多様な装置要素（例：ディスプレイ１３０の駆動に関する駆動回路、アプリケーションプロセッサ、印刷回路基板、バッテリーなど）が内蔵される。ハウジング１１０の少なくとも一側には、使用者機能に関する多様な構成要素が配置される。ハウジング１１０は、ディスプレイ１３０が配置された領域に対応して第１ハウジング１０１及び第２ハウジング１１１を含む。一実施形態において、ディスプレイ１３０の駆動に関する多様な装置要素（例：ディスプレイ１３０の駆動に関する駆動回路、アプリケーションプロセッサ、印刷回路基板、バッテリーなど）は、第１ハウジング１０１及び第２ハウジング１１１のうちの少なくとも一つに配置される。
【００２８】
第１ハウジング１０１は、第１面及び第１面とは反対側の第２面を含み、第１面と第２面との間に配置される３つの側面を含む。第１面と第２面との間の一面に、ヒンジ部１２０の一側面が配置される。第１面には、例えば、ディスプレイ１３０の第１表示領域が配置される。第２ハウジング１１１は、第３面及び第３面とは反対側の第４面を含み、第３面と第４面との間に配置される３つの側面を含む。第３面と第４面との間の一面に、ヒンジ部１２０の他側面が配置される。電子装置１００の状態によって、上記の面は多様な配置状態を有する。例えば、電子装置１００が開かれた状態で、第１面及び第３面、又は第２面及び第４面は同一方向に配置される。電子装置１００が折り畳まれた状態で、第１面と第３面とは互いに反対向きに配置され、第２面と第４面とは互いに向き合う。上述の電子装置１００は、第２面と第４面とが互いに対向する鋭角方向に折り畳まれて、平行状態（例：１８０度）まで回転される。
【００２９】
ディスプレイ１３０の第１表示領域１３１は、第１ハウジング１０１の中央部全体にわたって配置される。第１ハウジング１０１のうち、第１表示領域１３１以外の領域（例：第１表示領域１３１の上端前面領域又は下端前面領域）には、例えば、カメラ１０３、レシーバー１０４、センサー１０５、ホームボタン１０６などが配置される。第１ハウジング１０１の一側面領域（例：上端側面領域又は下端側面領域）には、コネクター１０７が配置される。また、第１ハウジング１０１の他側面領域（例：下端側面領域）には、スピーカーホール１０１１、ホールドボタン１０８、及びイヤホンコネクター１０９が配置される。第１ハウジング１０１は、ヒンジ部１２０を介して第２ハウジング１１１と連結される。
【００３０】
第２ハウジング１１１は、第２表示領域１３２が配置され、第２表示領域１３２の縁部を覆うように設けられる。第２ハウジング１１１の内部には、例えば、ディスプレイ１３０の駆動に関する装置要素の少なくとも一部が含まれる。第２表示領域１３２が第１表示領域１３１よりも大きく形成される場合、図１に示すように、第１状態において、第２ハウジング１１１の背面の一側が第１表示領域１３１の方向に露出される。第２ハウジング１１１の背面の一側（例：縁部の一側）には、例えば、補助ディスプレイ１３９が配置される。補助ディスプレイ１３９の領域は、一つ以上の仮想キーボタン（１１４、１１５ａ、１１５ｂ、１１５ｃ、１１５ｄ）を含む。第２ハウジング１１１の側面領域には、例えば、電源ボタン１１６又はボリュームボタン１１７が配置される。電源ボタン１１６又はボリュームボタン１１７は、例えば、第１ハウジング１０１の側面領域に配置されてもよい。
【００３１】
ヒンジ部１２０は、例えば、ヒンジ軸１２５、スライディング部１２７、及びマルチバー１２３を含む。ヒンジ軸１２５は、第１ハウジング１０１とスライディング部１２７とをヒンジ方式で固定する。ヒンジ軸１２５は、第１ハウジング１０１に対して、スライディング部１２７が特定の角度に回転された状態（例：０度から１８０度以内）を有するように、スライディング部１２７及びスライディング部１２７に連結された第２ハウジング１１１のヒンジ動作を支持する。ヒンジ軸１２５は、第１ハウジング１０１と第２ハウジング１１１との間の境界に沿って延長される。
【００３２】
ヒンジ部１２０は、第５面及び第６面を含む。第５面には、マルチバー１２３が配置される。第５面は、例えば、電子装置１００のヒンジ動作により、少なくとも一部が湾曲するか又は平坦である。第５面は、第１面と第３面との間に配置される。一実施形態において、第５面は、第１面と第３面とを連結する。第５面上には、ディスプレイ１３０の少なくとも一部が配置される。第６面には、スライディング部１２７が配置され、電子装置１００のヒンジ状態により、スライディング部１２７は、第２ハウジング１１１の内側に少なくとも一部が挿入されるか又は第２ハウジング１１１から少なくとも一部が引き出される。一実施形態において、スライディング部１２７は、第２ハウジング１１１の外側に少なくとも一部が移動し、その後、第２ハウジング１１１の外側から少なくとも一部が引き出される形態に配置される。第６面は、第２面と第４面との間に配置される。
【００３３】
マルチバー１２３は、ディスプレイ１３０の背面のヒンジ表示領域１３３の下部に配置される。マルチバー１２３は、外圧によって平坦な形態に連続して配列されるか、又は特定の角度に曲げられる。スライディング部１２７は、電子装置１００の折り畳まれた状態に応じて、第２ハウジング１１１の内側にスライディングされるか又は外側に露出される。例えば、スライディング部１２７は、電子装置１００が第１状態（例：折り畳まれた状態）の場合、第２ハウジング１１１の内側に挿入された状態を維持する。電子装置１００が第２状態（例：開かれた状態）にある場合、第２ハウジング１１１の内側に挿入されるスライディング部１２７の領域は最小化される。電子装置１００が第３状態（例：特定の角度を有する状態であって、例えば、０度超過１８０度未満の状態）において、第２ハウジング１１１の内側にスライディング部１２７の一部の領域が挿入される。
【００３４】
図３は、本発明の一実施形態による電子装置の第１ハウジング及びディスプレイを概略的に示す図である。
【００３５】
図３を参照すると、本実施形態による第１ハウジング１０１は、右側上端カバー１０１ａ及び右側後面ケース１０１ｂを含み、装置要素として、例えば、カメラ１０３、カメラブラケット１４７、レシーバー１４４、ＳＩＭ  ＰＣＢ（ｓｕｂｓｃｒｉｂｅｒ  ｉｄｅｎｔｉｆｉｃａｔｉｏｎ  ｍｏｄｕｌｅ  ｐｒｉｎｔｅｄ  ｃｉｒｃｕｉｔ  ｂｏａｒｄ）１４３、メインＰＣＢ１４０、シールドカン（ｓｈｉｅｌｄ  ｃａｎ）１４５、バッテリー１４１、バッテリー連結ライン１５０、コネクターケース１４９、第１サブＰＣＢ（ｓｕｂ  ＰＣＢ）１４２、ホームボタン１４８、バッテリー連結ライン１５０のうちの少なくとも一つを内蔵する。第１ハウジング１０１内部に内蔵される装置要素のうちの少なくとも一つは、外部に少なくとも一部が露出される。例えば、カメラ１０３、レシーバー１４４、コネクターケース１４９、ホームボタン１４８などは少なくとも一部が右側上端カバー１０１ａに設けられたホールなどを介して露出される。
【００３６】
カメラブラケット１４７は、カメラ１０３を取付け可能なデッキと、カメラ１０３に信号を供給し、カメラ１０３が獲得した信号を保存するイメージセンサーなどを含む。レシーバー１４４は、電子装置１００の通話連結音又は通話音などを出力する。ＳＩＭ  ＰＣＢ１４３は、ＳＩＭカードを含み、ＳＩＭカードの読み書きに関する駆動回路を含む。ＳＩＭ  ＰＣＢ１４３は、メインＰＣＢ１４０に電気的に連結され、メインＰＣＢ１４０に配置されたアプリケーションプロセッサ（又はプロセッサ）の制御に対応してＳＩＭ情報を提供する。バッテリー１４１は、電子装置１００の動作に関する電力を供給する。バッテリー１４１は、バッテリー連結ライン１５０を介して第１サブＰＣＢ（ｓｕｂ  ＰＣＢ）１４２に連結され、コネクターケース１４９を介して外部に連結された充電器から電力を受信して充電される。バッテリー連結ライン１５０は、例えば、ＦＰＣＢ（ｆｉｅｌｄ  ｐｒｏｇｒａｍｍａｂｌｅ  ｃｉｒｃｕｉｔ  ｂｏａｒｄ（又は、Ｆｌｅｘｉｂｌｅ  ｐｒｉｎｔｅｄ  ｃｉｒｃｕｉｔ  ｂｏａｒｄ））で形成される。バッテリー連結ライン１５０は、バッテリー１４１と第１サブＰＣＢ１４２とを連結する。第１サブＰＣＢ１４２は、コネクターケース１４９の一側に取付けられる。第１サブＰＣＢ１４２には、例えば、スピーカーやマイクなどが連結される。第１サブＰＣＢ１４２は、メインＰＣＢ１４０に連結され、スピーカー及びマイクに関する信号を送受信する。ホームボタン１４８は、一側が右側上端カバー１０１ａに設けられたホールを介して露出される。ホームボタン１４８は、第１サブＰＣＢ１４２に電気的に連結されるか又はメインＰＣＢ１４０に直接連結される。
【００３７】
右側上端カバー１０１ａは、例えば、ディスプレイ１３０の第１表示領域１３１が配置される第１取付け部１０１ａ＿１、第１取付け部１０１ａ＿１の上端に配置された右側上端領域１０１ａ＿２、及び下端に配置された右側下端領域１０１ａ＿３を含む。右側上端カバー１０１ａの右側上端領域１０１ａ＿２には、カメラ１０３、レシーバー１４４などが配置される。右側上端カバー１０１ａの右側下端領域１０１ａ＿３には、ホームボタン１４８、コネクターケース１４９などが配置される。第１ハウジング１０１内部に配置される装置要素は、例示的なものであって、電子装置１００の設計意図に応じて変更される。例えば、ホームボタン１４８は、物理ボタンの形態で例示したが、タッチパッド方式に代替してもよい。また、カメラ１０３及びカメラブラケット１４７は、装置要素から除いてもよい。
【００３８】
図４は、本発明の一実施形態による第２ハウジングの一例を示す図である。
【００３９】
図４を参照すると、本実施形態による第２ハウジング１１１は、左側上端カバー１１１ａ及び左側後面ケース１１１ｂを含む。第２ハウジング１１１は、スライドシート１８３、ボトムケース１８４、接着部材１８１、補助バッテリー１８６、第１磁石部材１８２、補助ディスプレイ１３９、側面ボタン１９０（例：電源ボタン１１６又はボリュームボタン１１７）、スライダー１８５などを含む。また、第２ハウジング１１１は、振動モジュール１８７、アンテナシート１８８、並びに側面ボタン１９０及び補助ディスプレイ１３９に電気的に連結されて側面ボタン１９０及び補助ディスプレイ１３９の動作に関する信号処理を行う第２サブＰＣＢ１８９を含む。
【００４０】
左側上端カバー１１１ａは、例えば、ディスプレイの一面が配置される第２取付け部１１１ａ＿１と、第２取付け部１１１ａ＿１の上端及び下端にそれぞれ配置された左側上端領域１１１ａ＿２及び左側下端領域１１１ａ＿３を含む。第２取付け部１１１ａ＿１は、例えば、第２表示領域１３２の中央部が配置される平坦な領域と、第２表示領域１３２の縁部領域が配置される湾曲領域を含む。ディスプレイ１３０は、電子装置１００が曲げられるのに対応して、湾曲領域に配置された一部領域に移動する。例えば、電子装置１００が第１状態（例：折り畳まれた状態）において、ディスプレイ１３０は第２取付け部１１１ａ＿１の湾曲領域の縁部から平坦な領域の方に特定長さだけ移動する。電子装置１００が第２状態（例：開かれた状態）において、ディスプレイ１３０は第２取付け部１１１ａ＿１の湾曲領域の縁部に向かって移動する。左側上端領域１１１ａ＿２及び左側下端領域１１１ａ＿３は、例えば、第２ハウジング１１１がヒンジ部１２０を基準に特定の方向へ移動するように、少なくとも一部が空いた形態で設けられる。左側上端領域１１１ａ＿２及び左側下端領域１１１ａ＿３の内側にはヒンジ部１２０が設けられ、第２ハウジング１１１のスライディングを支持するレール支持部１６４が移動される。
【００４１】
スライドシート１８３は、第２ハウジング１１１のスライディング機能を向上させることで、第２ハウジング１１１がスライディングする間に繰り返し発生する摩擦力を減らす。スライドシート１８３は、例えば、表面の少なくとも一部の摩擦係数が相対的に低い（又は特定の値以下である）材質で設けられる。ボトムケース１８４は、左側下端領域１１１ａ＿３（又は左側上端領域１１１ａ＿２）の内側に配置され、ヒンジ部１２０のレール支持部１６４をガイドする。接着部材１８１は、左側上端カバー１１１ａと左側後面ケース１１１ｂとを接着する。接着部材１８１は、左側上端カバー１１１ａの縁部と左側後面ケース１１１ｂの縁部とを接着する。補助バッテリー１８６は、電子装置１００の電力を供給する。補助バッテリー１８６は、第１ハウジング１０１に配置されたバッテリー１４１の充電完了後、プロセッサの制御に応じて充電されるか又はバッテリー１４１と並列的に（又は共に、又は同時に）充電される。第１磁石部材１８２は、電子装置１００の第１状態（例：折り畳まれた状態）を維持するために用いられる。補助ディスプレイ１３９は、左側上端カバー１１１ａの縁部（例：湾曲領域の下部）に配置され、プロセッサの制御に応じて指定された情報を出力する。一実施形態において、補助ディスプレイ１３９はタッチスクリーン機能を含み、これに基づいて入力手段として用いられる。
【００４２】
アンテナシート１８８は、例えば、無線充電又はＮＦＣ（ｎｅａｒ  ｆｉｅｌｄ  ｃｏｍｍｕｎｉｃａｔｉｏｎ）機能などを行う。これに関し、アンテナシート１８８には、無線充電用アンテナ又はＮＦＣアンテナ、充電回路、及びＮＦＣ制御ＩＣのうちの少なくとも一つが配置される。側面ボタン１９０は、例えば、ボリュームキー又は電源キーなどを含む。振動モジュール１８７（例：振動モーター）は、プロセッサの制御により、指定されたパターンの振動を発生させる。第２サブＰＣＢ１８９は、補助ディスプレイ１３９の制御に関する信号処理を行う。また、第２サブＰＣＢ１８９は、側面ボタン１９０の押下による使用者入力を処理するか又は受信した使用者入力をメインＰＣＢ１４０に伝達する。スライダー１８５は、ヒンジ部１２０に配置されたレール支持部の拘束部に結合され、第２ハウジング１１１のスライディングを行う左側上端領域１１１ａ＿２又は左側下端領域１１１ａ＿３の内部に拘束部を固定する。これにより、ヒンジ部１２０の拘束部がレール支持部を移動する間に、第２ハウジング１１１がヒンジ部１２０から遠くなるか又は近くなるスライディング動作が行われる。一方、一例として、上述した第２ハウジング１１１内に含まれる装置要素の少なくとも一部は省略されるか、又は多様な他の構成要素が第２ハウジング１１１内に配置される。
【００４３】
図５は、本発明の一実施形態によるヒンジ部の一例を示す図である。
【００４４】
図６は、本発明の一実施形態によるヒンジ部の一例を示す分解斜視図である。
【００４５】
図７は、本発明の一実施形態によるマルチバーの前面及び後面の一例を示す図である。
【００４６】
図８は、本発明の一実施形態によるマルチバーの一部領域をより詳細に示す図である。
【００４７】
図９は、本発明の一実施形態によるマルチバーとヒンジブラケットとの結合状態を示す図である。
【００４８】
図１０は、本発明の一実施形態による電子装置の側面の一部の一例を示す図である。
【００４９】
図５及び図６を参照すると、本実施形態によるヒンジ部１２０は、マルチバー１２３、第２磁石部材１６１、磁石支持部材１６８、プレート１６６、支持カバー１６３、レール支持部１６４、拘束部１６５、ヒンジブラケット１６２ａ、回転ガイド１６２ｂ、及び支持板１６９のうちの少なくとも一つを含む。このような構造のヒンジ部１２０は、ヒンジ部１２０の中心が分岐するように（又は少なくとも一部が分離されるように）設計される。例えば、磁石支持部材１６８は、互いに当接する面を基準に一対に設けられ、一対の磁石支持部材１６８の一方はプレート１６６に固定され、一対の磁石支持部材１６８の他方は支持カバー１６３に固定される。一対の第２磁石部材１６１は、それぞれ磁石支持部材１６８の内部に分けて配置される。このとき、第２磁石部材１６１のうちの一つは磁石支持部材１６８の一側に配置され、第２磁石部材１６１のうちの他の一つは磁石支持部材１６８の他側に配置される。これにより、電子装置１００が第１状態（例：折り畳まれた状態）において、磁石支持部材１６８及び第２磁石部材１６１は互いに離隔され、特定の間隔を有して上下に並んで配置される。電子装置１００が第２状態（例：開かれた状態）において、磁石支持部材１６８及び第２磁石部材１６１は互いに対向するように配置されて、磁力を介して結合される。
【００５０】
第２磁石部材１６１は、例えば、対をなす複数の磁石を含む。また、第２磁石部材１６１は対をなして、少なくとも一方が磁石からなり、他方が磁石の磁力に感応する磁性体からなってもよい。第２磁石部材１６１は、対をなす磁石支持部材１６８にそれぞれ配置される。第２磁石部材１６１の形状を棒形状で例示したが、本発明はこれに限定されない。例えば、第２磁石部材１６１は、円筒状や多角形などの形状で設けられてもよい。
【００５１】
磁石支持部材１６８は、少なくとも片面が互いに当接するように配置された対でなる。このような磁石支持部材１６８の少なくとも一側には、第２磁石部材１６１が固定される。一実施形態において、対をなす磁石支持部材１６８のうちの一方に第２磁石部材１６１の一方が挿入され、第２磁石部材１６１の一面が外部に露出する。また、対をなす磁石支持部材１６８のうちの他の一方も第２磁石部材１６１の他の一方が挿入され、挿入された第２磁石部材１６１の片面が露出して、他の一方に対向する。対をなす磁石支持部材１６８のそれぞれは、プレート１６６及び支持カバー１６３にそれぞれ固定され、プレート１６６と支持カバー１６３との間の離隔又は整列に対応して、互いに対向する面が当接するか又は離隔される。磁石支持部材１６８の対がそれぞれ分離されるか又は結合されることにより、磁石支持部材１６８の一側に固定された第２磁石部材１６１の対がそれぞれ分離されるか又は磁力に基づいて結合される（又は接触状態を維持する）。
【００５２】
プレート１６６は、軸方向に特定の長さ（例：電子装置１００の縦の長さと同一又は類似の長さ）を有して配置される。プレート１６６の表面には、少なくとも一つの第１連結部１６６ａ（例：雌ネジ山を有するボス（ｂｏｓｓ））が配置される。プレート１６６に配置された第１連結部１６６ａには対をなす磁石支持部材１６８の一方が固定され、磁石支持部材１６８には対をなす第２磁石部材１６１の一方が固定される。さらに、プレート１６６の一側には少なくとも一つのヒンジブラケット１６２ａ（例：一部のヒンジブラケット１６２ａなど）が固定される。プレート１６６は、支持カバー１６３と平行に配置される。
【００５３】
支持カバー１６３は、軸方向に特定の長さ（例：プレート１６６と実質的に同一の長さ）を有して、特定の幅（例：プレート１６６よりも広い指定された幅）を有する。支持カバー１６３の一側（例：プレート１６６と平行に配置されるとき、プレート１６６に隣接する領域）に少なくとも一つの第２連結部１６３ａ（例：雌ネジ山を有するボス）が配置される。支持カバー１６３に配置される第２連結部１６３ａは、プレート１６６に配置される第１連結部１６６ａと整列するように配置される。支持カバー１６３の上部には、対をなす磁石支持部材１６８（対をなす第２磁石部材１６１の一方が固定された）の一方が固定される。一実施形態において、支持カバー１６３の一側には、レール支持部１６４が固定される。支持カバー１６３とレール支持部１６４との間には支持板１６９が配置される。支持カバー１６３は、電子装置１００が第２状態（例：開かれた状態）において、プレート１６６と平行に配置される。または、支持カバー１６３は、電子装置１００が第１状態（例：折り畳まれた状態）において、プレート１６６と上下に整列される。支持カバー１６３は、一側の縁部にヒンジ軸１２５が取付けられる取付け溝１６７を含む。例えば、取付け溝１６７は、支持カバー１６３の縦軸方向に延びて配置される。取付け溝１６７に挿入されるヒンジ軸１２５は、例えば、磁石支持部材及びヒンジブラケットにより取付け溝１６７内で回転する。
【００５４】
レール支持部１６４は、支持カバー１６３の一側（例：上端側及び下端側）に配置される。レール支持部１６４の一部は、磁石支持部材１６８と類似の形態を有し、他の一部は、一軸が他軸に比べ相対的に長いリング形状を有する。リング形状の輪は、第２ハウジング１１１の方向に配置される。レール支持部１６４の一側（例：輪の内側）に拘束部１６５が配置される。
【００５５】
拘束部１６５は、例えば、一軸が他軸に比べて相対的に長い楕円形又は角がラウンディングされた矩形状に設けられる。拘束部１６５は、レール支持部１６４の輪の内側に配置される。このとき、拘束部１６５は、レール支持部１６４の内側で一方向（例：輪の長軸方向）に移動する。拘束部１６５は、例えば、第２ハウジング１１１の一側に固定される。これにより、電子装置１００が第１状態又は第２状態にある間、第２ハウジング１１１が移動して、拘束部１６５は、レール支持部１６４の内側で左右（又は前後）に移動する。拘束部１６５は、第２ハウジング１１１との結合のために、少なくとも一つの第３連結部１６５ａ（例：雌ネジ山が形成されたホール）を含む。
【００５６】
ヒンジブラケット１６２ａは、矩形状に設けられ、一方の終端が曲って、他の領域が平坦な形状に設けられる。ヒンジブラケット１６２ａの一側には、プレート１６６又は支持カバー１６３と結合するための少なくとも一つの第４連結部１６２ａ＿１（例：雌ネジ山が形成されたホール）が配置される。ヒンジブラケット１６２ａは、複数が備えられる。複数のヒンジブラケット１６２ａのうちの一部はプレート１６６に結合され、残りの一部は支持カバー１６３に結合される。ヒンジブラケット１６２ａは、電子装置１００が第１状態又は第２状態にある間、マルチバー１２３を固定させる役割を果たす。これに関し、ヒンジブラケット１６２ａは、マルチバー１２３に形成された溝に挿入される。
【００５７】
回転ガイド１６２ｂは、平坦な領域と、平坦な領域に続く湾曲領域を含む。平坦な領域は、回転ガイド１６２ｂをプレート１６６に固定する少なくとも一つの固定ホールを含む。回転ガイド１６２ｂの湾曲領域の終端面は、電子装置１００が開かれた状態で支持カバー１６３の前面に対向する。上述した回転ガイド１６２ｂは、電子装置１００が曲げられた状態（例：第１ハウジング１０１と第２ハウジング１１１とが特定の角度、例えば、３０度、６０度、９０度、１２０度などの特定角度を有する状態）又は折り畳まれた状態（第１ハウジング１０１と第２ハウジング１１１とが上下に平行に配置される状態又は第１ハウジング１０１と第２ハウジング１１１とのなす角度が０度である状態）に変更される間、マルチバー１２３の回転を支持する。
【００５８】
支持板１６９は、例えば、矩形状に設けられ、支持カバー１６３とレール支持部１６４との間に配置されて、レール支持部１６４を支持する役割を果たす。一実施形態において、支持板１６９は、レール支持部１６４の内側に配置される拘束部１６５の下部で拘束部１６５の一面に対向するように配置されて、拘束部１６５が第２ハウジング１１１の回転によって移動する間、拘束部１６５を支持する。
【００５９】
マルチバー１２３は、ヒンジ部１２０の軸方向における上面の少なくとも一部が平坦で、中央部と縁部との間に段差が付けられた形態の複数の柱部が機械的に結合される。マルチバー１２３の上部面（例：ディスプレイ１３０が配置される方向の面）の中央の底部２３にはディスプレイ１３０の背面が取付けられ、マルチバー１２３の縁部及び段差部２１は、ディスプレイ１３０の側面を保護し、ディスプレイがスライドする時にディスプレイ１３０の側面をガイドする。
【００６０】
上述したように、本発明の一実施形態による電子装置１００は、第１ハウジング１０１と第２ハウジング１１１とのヒンジ動作時に、対で設けられた第２磁石部材１６１の磁石の結合又は分離に基づいて第２状態（例：開かれた状態）をより堅固に支持する。
【００６１】
図７を参照すると、マルチバー１２３は、複数の柱部１２３ａが連続的に連結された形態で設けられる。マルチバー１２３のうちの一つの柱部１２３ａの上部の一部、例えば底部２３の上端（例：トップ面）の少なくとも一部は平坦に設けられ、中央部の両側終端には底部２３よりも特定の高さだけ高い段差が付けられた段差部２１が配置される。柱部１２３ａの下部は下方に延びた一つ以上の突起２５を含む。突起２５は、一定間隔で離隔して配置される。柱部１２３ａの両側終端の段差部２１には、下端方向に形成されたコーン状の突起、例えば、三角突起２７（又は多角形の突起）が配置される。三角突起２７は、隣接する他の柱部の三角突起２７に連接（連続して接触）されて、外側から電子装置１００の内部が観察されないようにシールド（ｓｈｉｅｌｄ）する役割を果たす。
【００６２】
図８を参照すると、柱部１２３ａは、突起２５の少なくとも一つの側壁から、突起２５とは異なる角度で設けられた一つ以上の連結突起２９を含む。柱部１２３ａは、連結突起２９が形成された突起２５の反対面に配置されて、連結突起２９が挿入される少なくとも一つの突起溝２８を含む。突起溝２８は、電子装置１００が折り畳まれるか否かにより、他の柱部の連結突起が挿入された状態を有するか、又は他の柱部の連結突起の少なくとも一部が抜けた状態を有する。
【００６３】
図９を参照すると、複数の柱部１２３ａが連続して配置されたマルチバー１２３は、上述した突起２５が水平面に対し連続して配置されることによって形成された特定の長さの溝９０１を含む。溝９０１には、上述したヒンジブラケット１６２ａが挿入される。溝９０１に挿入されたヒンジブラケット１６２ａは、電子装置１００の折り畳まれた状態又は開かれた状態に対応して、溝９０１の内壁に沿って移動しながら、マルチバー１２３の各柱部を支持する。また、ヒンジブラケット１６２ａは、柱部１２３ａが離脱しないように柱部１２３ａを固定することにより、マルチバー１２３の形態を維持する。溝９０１は、ヒンジブラケット１６２ａが挿入された後、容易に離脱しないように特定の形態（例：Ｔ字状）に設けられる。これに関し、ヒンジブラケット１６２ａは、上端の幅が下端の幅よりも広く形成される形状（例：Ｔ字状）を有する。
【００６４】
図１０を参照すると、電子装置１００の第２ハウジング１１１は、ヒンジ部１２０に連結される。ヒンジ部１２０には、例えば、先に説明した複数の柱部１２３ａが連続して配列され、電子装置１００の開かれた状態に対応して、柱部１２３ａの上端面が互いに連続するように配置される。これにより、上端よりも下端の断面が小さい（例：断面が三角形である）柱部１２３ａの下端は、状態１００１に示すように凹凸状に配置される。凹凸状の柱部１２３ａからなるマルチバー１２３の側面を覆うために、ヒンジ部１２０は状態１００５に示すように側面カバー１０１０を含む。ヒンジ部１２０に結合された側面カバー１０１０は、電子装置１００の折り畳まれた状態又は開かれた状態に応じて、第２ハウジング１１１の内側に第１幅（例：折り畳まれた状態で第２ハウジング１１１に挿入される幅）ほど挿入されるか、又は第１幅よりも大きい第２幅（例：開かれた状態で第２ハウジング１１１に挿入される幅）ほど挿入される。ヒンジ部１２０の他側は、例えば、第１ハウジング１０１に連結される。第１ハウジング１０１の一側には、ヒンジ軸１２５が配置される。取付け溝１６７に挿入されたヒンジ軸１２５を中心にヒンジ部１２０がヒンジ動作を行いながら回転し、ヒンジ部１２０の終端に連結された第２ハウジング１１１がヒンジ部１２０の回転によって特定の角度に配置される。この動作において、ヒンジ部１２０に設けられた支持カバー１６３及びヒンジ部１２０の側面を支持する側面カバー１０１０は、第２ハウジング１１１の内側にスライディング動作を行う。
【００６５】
図１１は、本発明の一実施形態による電子装置の結合された状態の一例を示す図である。
【００６６】
図１２ａは、本発明の一実施形態による電子装置の結合手順の一例を示す図である。
【００６７】
図１１及び図１２ａを参照すると、電子装置１００は、先に説明したように、第１ハウジング１０１、第２ハウジング１１１、及びヒンジ部１２０を含む。第１ハウジング１０１には、ディスプレイの第１表示領域が露出するように配置され、電子装置１００の駆動に関する少なくとも一つの装置要素が配置される。第１ハウジング１０１の内部に配置される装置要素は、例えば、バッテリー、マイク、カメラ、メモリー、ＳＩＭカード、結合用第１磁石部材、スピーカー、コネクター、イヤホンジャックコネクターのうちの少なくとも一つを含む。第２ハウジング１１１の内部に配置される装置要素は、例えば、補助バッテリー、振動モジュール、結合用磁石部材、側面ボタンなどを含む。
【００６８】
上述した電子装置１００は、状態１２０１に示すように、第１ハウジング１０１の右側上端カバー１０１ａ及び第２ハウジング１１１の左側上端カバー１１１ａが平行に配置され、右側上端カバー１０１ａと左側上端カバー１１１ａとの間にヒンジ部１２０が結合される。さらに、右側上端カバー１０１ａ内側には、先に説明した第１ハウジング１０１の内部に配置される装置要素が配置され、左側上端カバー１１１ａの内側には、先に説明した第２ハウジング１１１の内部に配置される装置要素が配置される。
【００６９】
状態１２０３に示すように、電子装置１００の前面にディスプレイ１３０が配置される。これに関し、第１ハウジング１０１の右側上端カバー１０１ａ及び第２ハウジング１１１の左側上端カバー１１１ａの中央部には、ディスプレイ１３０が取付けられる取付け面が配置される。ヒンジ部１２０のうち、ディスプレイ１３０（例：プラスチックＯＬＥＤディスプレイ（ＰＯＬＥＤ））が配置される面は、取付け面に対応する特定領域の凹部（例：柱部１２３ａの中央の底部領域）が両側終端に比べて下に段差が付けられた形態を有する。上述したように、右側上端カバー１０１ａ、ヒンジ部１２０の上端中央の底部、及び左側上端カバー１１１ａの上には、一つのフレキシブルなディスプレイ１３０が配置される。ディスプレイ１３０は、右側上端カバー１０１ａの一側に配置されたホールを介して右側上端カバー１０１ａの内側に配置されるメインカバーに電気的に連結される。
【００７０】
状態１２０５に示すように、電子装置１００の右側後面ケース１０１ｂ及び左側後面ケース１１１ｂが、それぞれ右側上端カバー１０１ａ及び左側上端カバー１１１ａの背面を覆う。このとき、左側上端カバー１１１ａと左側後面ケース１１１ｂとは、ヒンジ部１２０に配置されたレール支持部１６４のスライディングが可能になるように結合される。
【００７１】
図１２ｂは、本発明の一実施形態による電子装置のヒンジ動作時の内部構造物の状態の一例を示す図である。
【００７２】
図１２ｂを参照すると、状態１２１１に示すように、電子装置１００は開かれた状態を有する。電子装置１００の第１ハウジング１０１、第２ハウジング１１１、及びヒンジ部１２０は、互いに平行な状態である。この動作において、ヒンジブラケット１６２ａの平坦な領域は、第１ハウジング１０１の前面と平行に配置される。回転ガイド１６２ｂは、プレート及び支持カバーの開かれた状態を支持する。
【００７３】
ヒンジ軸１２５は、第１ハウジング１０１の右側後面ケース１０１ｂとヒンジ部１２０との間に配置される。ヒンジ軸１２５は、外部に突出しないか又は突出する量が少ないように、断面が半円形状に設けられ、ヒンジ軸１２５の突出する部分が第１ハウジング１０１の右側後面ケース１０１ｂから右側上端カバー１０１ａの方向に向かって配置される。電子装置１００が開かれた状態であるとき、マルチバー１２３は水平状態に配置される。図示された図では、ヒンジ部１２０の説明のために、ディスプレイ１３０の中央部の領域を切開した形態で示したものである。
【００７４】
状態１２１３に示すように、電子装置１００は、第１ハウジング１０１と第２ハウジング１１１とが特定の角度に配置された曲げられた状態を有する。この状態で、ヒンジ部１２０に配置されたヒンジブラケット１６２ａの平坦な領域は、第２ハウジング１１１の上端面と平行に配置されつつ、第２ハウジング１１１の上端面とは特定の角度をなす。電子装置１００が曲げられた状態を有する間、ヒンジ部１２０のマルチバー１２３は少なくとも一部が屈曲した状態を有する。ヒンジ部１２０のヒンジ動作により、ヒンジ部１２０の支持カバー１６３は、第２ハウジング１１１の内側にスライディングする。これと共に、ヒンジ部１２０のレール支持部１６４は、拘束部１６５を軸としてスライディングする。
【００７５】
状態１２１５に示すように、電子装置１００は、第１ハウジング１０１と第２ハウジング１１１とが平行に配置された折り畳まれた状態を有する。この場合、ヒンジ軸１２５に対して、第１ハウジング１０１の背面はヒンジ部１２０の背面及び第２ハウジング１１１の背面と対向する。ヒンジブラケット１６２ａの平坦な領域は、第１ハウジング１０１の上端面と並行に配置される。
【００７６】
図１３は、本発明の一実施形態による電子装置の据え置き（ホールド）状態の多様な例を示す図である。
【００７７】
図１４は、本発明の一実施形態による電子装置の開かれた状態でのヒンジ部の状態の一例を示す図である。
【００７８】
図１５は、本発明の一実施形態による電子装置の曲げられた状態でのヒンジ部の状態の一例を示す図である。
【００７９】
図１６は、本発明の一実施形態による電子装置の折り畳まれた状態でのヒンジ部の状態の一例を示す図である。
【００８０】
図１３を参照すると、本実施形態による電子装置１００は、状態１３０１に示すように、開かれた状態を有する。開かれた状態は、例えば、第１ハウジング１０１、ヒンジ部１２０、及び第２ハウジング１１１が互いに平行に配置された状態を含む。これにより、ヒンジ部１２０のマルチバー１２３は、図示されたように柱部１２３ａの上部面が隣接する他の柱部の上部面と当接する。マルチバー１２３の上端面は、平坦な面を形成し、平坦な面にはディスプレイ１３０が平坦に配置される。断面が逆三角形状である柱部１２３ａの上部面が平坦な面をなしつつ、マルチバー１２３の下部は凹凸状をなす。
【００８１】
電子装置１００は、状態１３０３に示すように、曲げられた状態を有する。図示された例では、第１ハウジング１０１と第２ハウジング１１１とが９０度の角度をなす状態を示したが、本発明はこれに限定されない。図示されたように、第１ハウジング１０１と第２ハウジング１１１とが特定の角度をなすように配置される間、ヒンジ部１２０のマルチバー１２３のうちの少なくとも一部は凹凸の間隙がないように配置され、マルチバー１２３の他の一部は、凹凸の間隙を維持する形態で配置される。例えば、曲げられた状態で、マルチバー１２３のうちの第２ハウジング１１１と並行に配置される第１柱部１２３ａ＿１は、上部面が平坦な面をなすように配置され、下部は凹凸状を維持する。マルチバー１２３のうちの屈曲した領域に配置される第２柱部１２３ａ＿２は、下部の斜辺が隣接する他の柱部の斜辺と対向する。これにより、マルチバー１２３の上部面は平坦な形状を維持しつつ、下部はヒンジ軸１２５を基準に互いに隣接するか又は集められた形態を有する。これにより、ディスプレイ１３０は、第１ハウジング１０１上に平坦に配置された領域、第１ハウジング１０１に特定の角度（例：直角）をなしつつ平坦に配置された領域、及びヒンジ部１２０上に配置された湾曲領域（円の１／４弧状）を含む。
【００８２】
電子装置１００は、状態１３０５に示すように、折り畳まれた状態を有する。例えば、第１ハウジング１０１と第２ハウジング１１１とが互いに平行に配置される。このとき、第１ハウジング１０１の背面と第２ハウジング１１１の背面とが互いに対向する。これに関し、ヒンジ部１２０のマルチバー１２３は、半円形（又はヒンジ軸１２５に対して１８０度）形態に配置される。半円形に配置されたマルチバー１２３は、柱部１２３ａの下部斜辺が隣接する他の柱部の下部斜辺と接触又は対向するように配置された状態を有する。また、マルチバー１２３の柱部１２３ａの頂点は、ヒンジ軸１２５に集まる。マルチバー１２３の上部には、マルチバー１２３の屈曲した形態に対応してディスプレイ１３０が曲がって配置される。これにより、ディスプレイ１３０は、第１ハウジング１０１上に平坦に配置された領域と、第１ハウジング１０１に平行に配置されつつ第１ハウジング１０１内に平坦に配置された領域、及びヒンジ部１２０上に配置された湾曲領域（半円形状）を含む。また、柱部１２３ａは、凹凸状以外の形状を有するが、これに限定されない。例えば、柱部１２３ａの形状が、凹凸状に圧縮され得る弾性圧縮可能な材料で製造される場合、図１３の状態１３０３で第１ハウジング１０１及び／又は第２ハウジング１１１が１２３＿１と類似のヒンジ軸１２５を中心に回転するとき、柱部１２３ａは、中空の内部を有するか又は有さない形状の立方形又は円筒形である。
【００８３】
図１４を参照すると、電子装置１００は、ヒンジ部１２０に配置されたマルチバー１２３が平坦に配置された形態を有する。例えば、状態１４０１に示すように、電子装置１００が開かれた状態を有する場合、ヒンジ部１２０は、状態１４０２に示すように、マルチバー１２３を構成する複数の柱部１２３ａが平行に配置されて、平坦な面を形成しつつ互いに面接触する。一実施形態において、状態１４０３に示すように、ヒンジ部１２０を構成する柱部１２３ａの下部は、鋸歯状（又は凹凸状）に配置される。柱部１２３ａの上部は、状態１４０４に示すように、上側に段差が付けられた形状に設けられる。状態１４０５又は状態１４０６に示すように、柱部１２３ａの終端に配置された段差部は、隣接する柱部の段差部と密接に隣接することで隙間が発生しない。柱部１２３ａの中央側に配置された底部は、隣接する柱部の底部に平行に配置され、特定の間隔（例：Ｓ１０３）を有して配置される。段差部と底部との間の段差は、例えば、ディスプレイの厚さ（例：Ｓ１０４）に対応する高さを有する。または、段差の高さはディスプレイ１３０保護のために、ディスプレイ１３０の厚さよりも大きい値を有する。
【００８４】
図１５を参照すると、電子装置１００は、ヒンジ部１２０に配置されたマルチバー１２３が特定の曲げ角度（例：３０度〜１２０度、例えば、９０度）を有する。一実施形態において、状態１５０１及び状態１５０２に示すように、第１ハウジング１０１と第２ハウジング１１１との間に配置されたヒンジ部１２０のマルチバー１２３を構成する複数の柱部１２３ａのうちの一部の第１柱部１２３ａ＿１は、曲面を形成するように配置され、他の一部の第２柱部１２３ａ＿２は、平面を形成する。曲面が形成された領域において、ディスプレイ１３０は湾曲した状態を有する。
【００８５】
電子装置１００が特定の角度に曲げられる場合、状態１５０３、１５０４、及び１５０５に示すように、マルチバー１２３を構成する複数の柱部１２３ａの配置状態が変更される。例えば、曲面を形成する第１柱部１２３ａ＿１は、段差部２１との間に特定の間隔を有しつつ他の柱部に隣接するように配置される。曲面を形成する第１柱部１２３ａ＿１の底部２３は、隣接する他の柱部の底部と別の隙間が発生しないように密接に接触して配置される。曲面を形成する第１柱部１２３ａ＿１の下部側壁は、隣接する他の柱部の下部側壁に密接に接触して配置される。平面を形成する第２柱部１２３ａ＿２の段差部２１は、実質的な隙間なく隣接する柱部の段差部に密接に配置される。平面を形成する第２柱部１２３ａ＿２の底部２３は、特定の間隔を有しつつ隣接する他の柱部の底部と並行に配置される。平面を形成する第２柱部１２３ａ＿２の下部側壁は、図１４に示すように鋸歯状（又は凹凸状）をなして配置される。
【００８６】
図１６を参照すると、電子装置１００は、第１ハウジング１０１及び第２ハウジング１１１が折り畳まれた状態に配置される。例えば、状態１６０１、状態１６０３、及び状態１６０５に示すように、ヒンジ部１２０に含まれたマルチバー１２３を構成する複数の柱部１２３ａの上端部は、曲面（例：半円形）を形成する。これに関し、断面が逆三角形状に配置される柱部１２３ａの下部側壁は、隣接する他の柱部の下部側壁と密接に隣接又は接触して配置される。それぞれの柱部１２３ａの中心線は、例えば、ヒンジ軸１２５の中心の方向に向く。
【００８７】
また、状態１６０２、状態１６０４、状態１６０６、及び状態１６０７に示すように、ヒンジ部１２０に配置されたマルチバー１２３を構成する複数の柱部１２３ａの段差部２１は、隣接する他の柱部の段差部と特定の間隔を有しつつ離れて配置される。柱部１２３ａの底部２３は、隣接する他の柱部の底部と密接に接触して配置される。このとき、柱部１２３ａの上端は、図示のように、特定の角度だけ互いに離れた外側段差部２１ａと、隣接する柱部と密接に接触して隙間が発生しない内側段差部２１ｂとを含む。外側段差部２１ａと内側段差部２１ｂとは、柱部の上端を意味の上で分離したものであり、一つの本体として設けらる。
【００８８】
ディスプレイ１３０の厚さ及び素材を考慮して、ディスプレイ１３０の中立面の位置を決定する。但し、このような中立面は、ディスプレイ１３０の上面（ｔｏｐ）から底面（ｂｏｔｔｏｍ）までの範囲のうちの特定の範囲に対応する。中立面が底面（ｂｏｔｔｏｍ）を基準に適用される場合、図示された領域Ｓ００３の寸法が０（ゼロ）になることで図示された領域Ｓ００２の角度は増加し、ディスプレイ１３０を支える部分は電子装置が完全に開かれたときにも隙間（又はｇａｐ）が存在しない設計を維持できる。逆に中立面が上面（Ｔｏｐ）を基準に適用される場合には、図示された領域Ｓ００３の寸法が当該面まで上がるようになることで図示された領域Ｓ００２の寸法は減少し、電子装置が開かれた時にディスプレイ１３０を支える柱部１２３ａの底面の隙間は一定量存在するようになるが、ディスプレイ１３０の厚さが薄いため、底面の隙間の量は無視できるほど少なくなる。中立面が中央位置に適用される場合には、電子装置が完全に開かれたときにディスプレイ１３０を支える柱部１２３ａの隙間が特定の距離（例：０．１ｍｍ）に維持され、外部に露出される柱部１２３ａは隙間なく互いに面接触される。
【００８９】
図１７は、本発明の一実施形態による電子装置の折り畳まれた状態でのヒンジ部の内部の一例を示す図である。
【００９０】
図１７を参照すると、状態１７０１及び状態１７０３に示すように、電子装置１００のヒンジ部１２０は、第１ハウジング１０１と第２ハウジング１１１とが上下に並んで配置された状態で、折り畳まれた形態に配置される。これに関し、ヒンジ部１２０のマルチバー１２３に含まれた柱部１２３ａのうちの段差部２１は、隣接する柱部の段差部から特定の間隔で離隔される。柱部１２３ａの底部２３は、隣接する柱部の底部と密接に接触され、柱部１２３ａは全体として丸く配置される。この状態で、柱部１２３ａは、ヒンジ軸１２５を基準に湾曲部を形成する。ヒンジ部１２０が湾曲部を形成する間、ヒンジ部１２０内に配置された対をなす第２磁石部材１６１及び第２磁石部材１６１を含む磁石支持部材１６８は、それぞれ上下に並んで配置される。対をなす第２磁石部材１６１及び対をなす磁石支持部材１６８のうちの一方は、プレート１６６に配置され、他の一方は支持カバー１６３に配置される。
【００９１】
上述した多様な実施形態による電子装置（又は携帯用電子装置）は、第１面及び第１面とは反対側の第２面を含む第１ハウジング、第３面及び第３面とは反対側の第４面を含む第２ハウジング、第５面及び第６面を含んで第１ハウジングと第２ハウジングとを連結するヒンジ部、第１面、第５面、及び第３面上に配置されたフレキシブルディスプレイ、及びフレキシブルディスプレイに電気的に連結されて第１ハウジング又は第２ハウジングのうちの少なくとも一つに配置されたプロセッサを含み、ヒンジ部は、第１方向に延長されたヒンジ軸の周辺で撓み、ヒンジ軸は、第１面上からみると、第１ハウジングと第２ハウジングとの間の境界に沿って延長され、ヒンジ部が曲げられる前の状態で第１面及び第３面は同一方向に配置され、ヒンジ部が実質的に完全に折り畳まれると、第２面と第４面とは互いに対向し、ヒンジ部は第１方向に延長されて、第５面上に共に配置される複数の柱部を含むことを特徴とする。
【００９２】
一実施形態において、複数の柱部の少なくとも一つは、第５面の少なくとも一部に配置される上面、上面に反対側の第６面の方向に位置する底面、上面と底面との間に位置する第１側面及び第２側面を含み、第１側面及び第２側面の少なくとも一方の幅が、上面から底面の方向に徐々に減る形状に設けられる。
【００９３】
一実施形態において、ヒンジ部は第６面に形成された第１構造物（例：マルチバー）をさらに含み、第１構造物は第１方向に垂直な可変幅を含み、ヒンジ部が曲げられていない状態で、可変幅はヒンジ部が実質的に完全に折り畳まれた状態よりもさらに長く形成される。
【００９４】
一実施形態において、第１構造物は、可変幅の提供により第２ハウジングから又は第２ハウジングに移動可能に設けられた第１手段（例：スライディング部）を含む。
【００９５】
一実施形態において、第１手段は第２ハウジング内に形成された開口部にスライディングされる。
【００９６】
上述した一実施形態による携帯用電子装置は、第１面及び第１面とは反対側の第２面を含む第１ハウジング、第３面及び第３面とは反対側の第４面を含む第２ハウジング、第１ハウジングと第２ハウジングとを連結して、第２ハウジングの第４面が第１ハウジングの第１面と対向する方向に回転するように設けられたヒンジ部を含み、ヒンジ部は、第１ハウジングの一側の縁部に配置されたヒンジ軸、第２ハウジングのヒンジ動作に対応して少なくとも一部が第２ハウジングの内側にスライディングして進入するか、又は第２ハウジングの内側からスライディングして排出されるスライディング部、第１面と第４面との間に配置され、第２ハウジングのヒンジ動作に対応して開かれるか折り畳まれる複数のユニット（例：柱部）を有するマルチバーを含むことを特徴とする。
【００９７】
一実施形態において、第１ハウジングの厚さ及び第２ハウジングの厚さは、実質的に同一又は類似に形成される。
【００９８】
一実施形態において、第１ハウジングの幅及び第２ハウジングの幅は、実質的に同一又は類似に形成される。
【００９９】
一実施形態において、第１ハウジング又は第２ハウジングの幅が第２ハウジング又は第１ハウジングの幅よりも特定の大きさだけ大きく形成される。
【０１００】
一実施形態において、電子装置は、第１ハウジングと第２ハウジングとが折り畳まれた状態で外部に露出される第２ハウジングの第４面の一部に配置される補助ディスプレイをさらに含む。
【０１０１】
一実施形態において、マルチバーは、ヒンジ軸方向に配置された複数の柱部を含む。
【０１０２】
一実施形態において、柱部は平坦に形成された底部、底部の上端及び下端に配置されて底部よりも高く段差付けられた段差部を含む。
【０１０３】
一実施形態において、複数の柱部の底部は、第１ハウジングの第１面と第２ハウジングの第３面とが同一方向に配置される間、隣接する底部と密接に面接触して平坦な面を形成するように配置される。
【０１０４】
一実施形態において、複数の柱部の底部は、第１ハウジングの第２面と第２ハウジングの第４面とが対向する間、隣接する底部と密接に面接触されて湾曲部を形成するように配置される。
【０１０５】
一実施形態において、複数の柱部の段差部は、第１ハウジングの第１面と第２ハウジングの第３面とが同一方向に配置される間、隣接する段差部と密接に面接触されて平坦な面を形成するように配置される。
【０１０６】
一実施形態において、複数の柱部の段差部は、第１ハウジングの第２面と第２ハウジングの第４面とが対向する間、隣接する段差部と指定された隙間を形成しつつ湾曲部を形成するように配置される。
【０１０７】
一実施形態において、複数の柱部のうちの一部の柱部は、第１ハウジングの第２面と第２ハウジングの第４面とが鋭角の範囲内で特定の角度を形成する間、隣接する他の柱部と連接して湾曲部を形成し、残りの柱部は隣接する他の柱部と連接して平坦な面を形成する。
【０１０８】
一実施形態において、湾曲部を形成する柱部の段差部は、連接された柱部の段差部と特定の隙間を形成して配置され、平坦な面を形成する柱部の段差部は、連接された柱部の段差部と密接に面接触するように配置される。
【０１０９】
一実施形態において、柱部は段差部の縁部から下部の方向に延長され、上部から下部の方向に行くほど幅が徐々に減る三角突起をさらに含む。一実施形態において、複数の柱部に配置される突起のうちの少なくとも一部は、第１ハウジングと第２ハウジングとが鋭角の範囲内で曲げられた間、隣接する他の突起（例：三角突起）の側壁と面接触するように配置される。
【０１１０】
ヒンジ部は、第１ハウジングに固定されるプレート、第２ハウジングに固定される支持カバー、プレートと支持カバーとにそれぞれ固定される一対の磁石部材を含み、磁石部材は、第１ハウジングの第１面と第２ハウジングの第３面とが同一方向に配置される間、磁石結合される。
【０１１１】
上述した一実施形態による携帯用電子装置は、第１面及び第１面とは反対側の第２面を含む第１ハウジング、第３面及び第３面とは反対側の第４面を含む第２ハウジング、第１ハウジングと第２ハウジングとを連結して、第２ハウジングの第４面が第１ハウジングの第１面と対向する方向に回転するように設けられたヒンジ部を含み、ヒンジ部は、第１ハウジングの一側に配置されて第２ハウジングのヒンジ動作を支持するヒンジ軸、第１ハウジングと第２ハウジングとの間に配置されてヒンジ動作時に湾曲部を形成するように配置される複数の柱部を含み、第１ハウジングと第２ハウジングとが上下に並んで配置される間、複数の柱部はヒンジ軸を基準として一方の方向に配置される。
【０１１２】
一実施形態において、複数の柱部は、ヒンジ軸を基準に半円形状に配置される。
【０１１３】
一実施形態において、複数の柱部は、ヒンジ軸から分離した形態に配置される。
【０１１４】
図１８は、本発明の一実施形態による電子装置の多様な形態の一例を示す図である。
【０１１５】
図１８を参照すると、電子装置は、例えば、第１表示領域１３１と第２表示領域１３２との比率が特定の比率（例：５：５、７：３、３：７）になっている。
【０１１６】
状態１８０１に示すように、本発明の一実施形態による電子装置１００は、第１ハウジング１０１＿１に配置される第１表示領域１３１＿１及び第２ハウジング１１１＿１に配置される第２表示領域１３２＿１の大きさが同一又は類似する。これにより、第１表示領域１３１＿１及び第２表示領域１３２＿１は、電子装置１００が折り畳まれた状態を有するようにヒンジ部１２０＿１が湾曲部を形成する間、上下に揃った長さで対向する。第１表示領域１３１＿１と第２表示領域１３２＿１との間にはヒンジ表示領域１３３＿１が配置される。ヒンジ表示領域１３３＿１はヒンジ部１２０＿１上に配置される。
【０１１７】
状態１８０３に示すように、本発明の一実施形態による電子装置１００は、第１ハウジング１０１＿２に配置される第１表示領域１３１＿２の大きさが第２ハウジング１１１＿２に配置される第２表示領域１３２＿２の大きさよりも相対的に小さい。第１表示領域１３１＿２と第２表示領域１３２＿２との間には、ヒンジ部１２０＿２上に配置されるヒンジ表示領域１３３＿２が配置される。
【０１１８】
電子装置１００が折り畳まれた状態に配置される間、第１表示領域１３１＿２は第２表示領域１３２＿２上に置かれて第２表示領域１３２＿２の少なくとも一部領域が外部に露出される。外部に露出される第２表示領域１３２＿２の一部領域には、例えば、補助ディスプレイ１３９が配置される。補助ディスプレイ１３９が配置される領域には、例えば、物理キー圧力センサー、ディスプレイタッチセンサーなどが配置される。第１ハウジング１０１＿２の側部又は第２ハウジング１１１＿２の側部には、例えば側面キーが配置される。
【０１１９】
状態１８０５に示すように、本発明の一実施形態による電子装置１００は、第１ハウジング１０１＿３上に配置される第１表示領域１３１＿３の大きさが第２ハウジング１１１＿３上に配置される第２表示領域１３２＿３の大きさよりも大きい。この場合、第１表示領域１３１＿３の背面の一部領域に第２表示領域１３２＿３の背面が置かれて第１表示領域１３１＿３の一部領域が外部に露出される。第１表示領域１３１＿３及び第２表示領域１３２＿３の間には、ヒンジ部１２０＿３上にヒンジ表示領域１３３＿３が配置される。
【０１２０】
上述した本発明のフレキシブルディスプレイ装置は、折り畳まれたときの使用性と開かれたときの使用性を同時に確保できる。このようなフレキシブルディスプレイ装置は、第１ハウジング１０１と第２ハウジング１１１との折り畳み動作又は開く動作で必要な変位量をヒンジ部１２０が吸収する。
【０１２１】
一実施形態において、フレキシブルディスプレイ装置は、折り畳まれた状態で第１ハウジング１０１に配置される第１表示領域１３１又は第２ハウジング１１１に配置される第２表示領域１３２のみがターンオンされる。セルフカメラ撮影機能が実行中の場合、フレキシブルディスプレイ装置は前面方向のディスプレイ領域（例：第１表示領域１３１）がターンオンされる。被写体撮影時には折り畳まれた状態で、第２表示領域１３２がターンオンされるか又は第１表示領域１３１及び第２表示領域１３２がターンオンされる。カメラ撮影時、ヒンジ部１２０の領域に配置されたヒンジ表示領域１３３はターンオフ状態を維持する。
【０１２２】
フレキシブルディスプレイ装置は、折り畳まれた状態から開かれた状態に転換される場合、自動でディスプレイ１３０（例：第１表示領域１３１、第２表示領域１３２、ヒンジ表示領域１３３）をターンオンする。そして、フレキシブルディスプレイ装置は、少なくとも一部が特定の角度に折り畳まれた場合、ディスプレイ１３０の少なくとも一部をターンオフ（例：表示領域全体をターンオフするか、第２表示領域１３２をターンオフ）する。
【０１２３】
上述したように、本発明によれば、ディスプレイの大きさを拡大させつつ、ディスプレイの携帯性を維持できる。また、本発明によれば、ディスプレイ領域は、フレキシブル表示装置が折り畳まれた状態に応じて、多様な形態で使用でき、また、ヒンジ動作によって折り畳まれた部分で発生するディスプレイの曲げ疲労を改善できる。
【０１２４】
本明細書に開示された実施形態は、開示された技術内容の説明及び理解のために提示されたものであって、本発明の技術範囲を限定するものではない。したがって、本明細書の記載範囲は、本発明の技術的思想に基づく全ての変更又は多様な他の実施形態を含む。
【符号の説明】
【０１２５】
２１    段差部
２１ａ    外側段差部
２１ｂ    内側段差部
２３    底部
２５    突起
２７    三角突起
２８    突起溝
１００    電子装置
１０１、１０１＿１、１０１＿２、１０１＿３    第１ハウジング
１０１ａ    右側上端カバー
１０１ａ＿１    第１取付け部
１０１ａ＿２    右側上端領域
１０１ａ＿３    右側下端領域
１０１ｂ    右側後面ケース
１０３    カメラ
１０４    レシーバー
１０５    センサー
１０６、１４８    ホームボタン
１０７    コネクター
１０８    ホールドボタン
１０９    イヤホンコネクター
１１０    ハウジング
１１１、１１１＿１、１１１＿２    第２ハウジング
１１１ａ    左側上端カバー
１１１ａ＿１    第２取付け部
１１１ａ＿２    左側上端領域
１１１ａ＿３    左側下端領域
１１１ｂ    左側後面ケース
１１４、１１５ａ、１１５ｂ、１１５ｃ、１１５ｄ    仮想キーボタン
１１６    電源ボタン
１１７    ボリュームボタン
１２０、１２０＿１、１２０＿２、１２０＿３    ヒンジ部
１２３    マルチバー
１２３ａ    柱部
１２３ａ＿１    第１柱部
１２３ａ＿２    第２柱部
１２５    ヒンジ軸
１２７    スライディング部
１３０    ディスプレイ
１３１、１３１＿１、１３１＿２、１３１＿３    第１表示領域
１３２、１３２＿１、１３２＿２、１３２＿３    第２表示領域
１３３、１３３＿１、１３３＿２、１３３＿３    ヒンジ表示領域
１３９    補助ディスプレイ
１４０    メインＰＣＢ
１４１    バッテリー
１４２    第１サブＰＣＢ
１４３    ＳＩＭ  ＰＣＢ
１４４    レシーバー
１４５    シールドカン
１４７    カメラブラケット
１４８    ホームボタン
１４９    コネクターケース
１５０    バッテリー連結ライン
１６１    第２磁石部材
１６２ａ    ヒンジブラケット
１６２ａ＿１    第４連結部
１６２ｂ    回転ガイド
１６３    支持カバー
１６３ａ    第２連結部
１６４    レール支持部
１６５    拘束部
１６５ａ    第３連結部
１６６    プレート
１６７    取付け溝
１６６ａ    第１連結部
１６８    磁石支持部材
１６９    支持板
１８１    接着部材
１８２    第１磁石部材
１８３    スライドシート
１８４    ボトムケース
１８５    スライダー
１８６    補助バッテリー
１８７    振動モジュール
１８８    アンテナシート
１８９    第２サブＰＣＢ
１９０    側面ボタン
９０１    溝
１０１０    側面カバー
１０１１    スピーカーホール
【図１】
2019529991.tif 000003
【図２】
2019529991.tif 000004
【図３】
2019529991.tif 000005
【図４】
2019529991.tif 000006
【図５】
2019529991.tif 000007
【図６】
2019529991.tif 000008
【図７】
2019529991.tif 000009
【図８】
2019529991.tif 000010
【図９】
2019529991.tif 000011
【図１０】
2019529991.tif 000012
【図１１】
2019529991.tif 000013
【図１２ａ】
2019529991.tif 000014
【図１２ｂ】
2019529991.tif 000015
【図１３】
2019529991.tif 000016
【図１４】
2019529991.tif 000017
【図１５】
2019529991.tif 000018
【図１６】
2019529991.tif 000019
【図１７】
2019529991.tif 000020
【図１８】
2019529991.tif 000021
【国際調査報告】
2019529991.tif 000022
2019529991.tif 000023